(57)【要約】倍率を変化させることができる、小型で速い光学的なズーム装置の必要性が存在する。従来のズーム装置は、光学的な倍率を変化させるために、個々の要素間または一群の要素間の軸方向の距離を調節するために一連の機械的な移動を要求する。その機械的な移動は、ズームの速度を減少させ、ズーム装置のための空間と重量を増大させ、望まれないジッターを誘起するかもしれず、多くの消費電力を必要とする。さらに、機械的なズーム装置は、軸に沿った領域の拡大に制限される。従来のズーム装置の課題を解決するために、レンズの巨視的で機械的な移動のない、少なくとも１つの焦点距離可変マイクロミラーアレイレンズを用いるズーム装置が発明された。【選択図】図６
2007531013.tif 000002
【特許請求の範囲】
【請求項１】
少なくとも１つの焦点距離可変レンズを備え、倍率を変化させて像を形成するためのズーム装置であって、
上記焦点距離可変レンズは、マイクロミラーアレイレンズで構成され、
上記マイクロミラーアレイレンズは、複数のマイクロミラーを備え、
上記マイクロミラーの各々は、上記マイクロミラーアレイレンズの焦点距離を変化させるように制御され、
上記マイクロミラーアレイレンズは、上記マイクロミラーと当該マイクロミラーを作動させる作動素子とを支持する複数の機械的構造をさらに備えるズーム装置。
【請求項２】
上記マイクロミラーアレイレンズは、適応性のある光学的素子であり、
上記マイクロミラーアレイレンズは、収差を補正する請求項１に記載のズーム装置。
【請求項３】
上記マイクロミラーアレイレンズは、適応性のある光学的素子であり、
上記マイクロミラーアレイレンズは、上記像が近軸像の法則から逸脱させる上記ズーム装置の誤差を補正する請求項１に記載のズーム装置。
【請求項４】
上記マイクロミラーアレイレンズは、適応性のある光学的素子であり、
光軸上に存在しない対象物が、ズーム装置の巨視的で機械的な移動なしに、上記マイクロミラーアレイレンズによって映し出される請求項１に記載のズーム装置。
【請求項５】
上記マイクロミラーアレイレンズの上記マイクロミラーの各々の並進運動が制御されている請求項１に記載のズーム装置。
【請求項６】
上記マイクロミラーアレイレンズの上記マイクロミラーの各々の回転運動が制御されている請求項１に記載のズーム装置。
【請求項７】
上記マイクロミラーアレイレンズの上記マイクロミラーの各々の並進運動および回転運動が制御されている請求項１に記載のズーム装置。
【請求項８】
上記マイクロミラーアレイレンズの上記マイクロミラーは、少なくとも１つの同軸の円を形成するように配置される請求項１に記載のズーム装置。
【請求項９】
上記マイクロミラーアレイレンズの上記マイクロミラーの各々は扇形である請求項１に記載のズーム装置。
【請求項１０】
上記マイクロミラーアレイレンズの上記マイクロミラーの各々の反射面は、実質的に平面である請求項１に記載のズーム装置。
【請求項１１】
上記マイクロミラーアレイレンズの上記マイクロミラーの各々の反射面は、曲率を有している請求項１に記載のズーム装置。
【請求項１２】
上記曲率は、制御されている請求項１１に記載のズーム装置。
【請求項１３】
上記マイクロミラーアレイレンズの上記マイクロミラーの各々は、静電気力によって作動する請求項１に記載のズーム装置。
【請求項１４】
上記マイクロミラーアレイレンズの上記マイクロミラーの各々は、電磁気力によって作動する請求項１に記載のズーム装置。
【請求項１５】
上記マイクロミラーアレイレンズの上記マイクロミラーの各々は、静電気力と電磁気力とによって作動する請求項１に記載のズーム装置。
【請求項１６】
上記機械的構造および上記作動素子は、上記マイクロミラーの下方に位置する請求項１に記載のズーム装置。
【請求項１７】
上記マイクロミラーアレイレンズは、反射型フレネルレンズである請求項１に記載のズーム装置。
【請求項１８】
上記マイクロミラーは、平面上に配置される請求項１に記載のズーム装置。
【請求項１９】
上記マイクロミラーの各々は、上記マイクロミラーアレイレンズの焦点距離を変化させるように制御される請求項１に記載のズーム装置。
【請求項２０】
上記マイクロミラーアレイレンズは、適応性のある光学的素子であり、
上記マイクロミラーアレイレンズは、対象物と当該対象物の像との間にある媒体によって導かれる光の位相誤差を補正する請求項１に記載のズーム装置。
【請求項２１】
上記マイクロミラーアレイレンズは、色彩のある像を得るために、赤、緑および青（ＲＧＢ）の各波長の同一位相条件をそれぞれ満足するように制御される請求項１に記載のズーム装置。
【請求項２２】
複数の帯域フィルタをさらに備える請求項２１に記載のズーム装置。
【請求項２３】
光電子センサをさらに備え、
当該光電子センサは、赤、緑および青（ＲＧＢ）のセンサを備え、
当該赤、緑および青（ＲＧＢ）のセンサからの電気信号の処理によって、色彩のある像が得られる請求項２１に記載のズーム装置。
【請求項２４】
赤、緑および青（ＲＧＢ）の各波長の同一位相条件をそれぞれ満足するために、上記赤、緑および青（ＲＧＢ）のセンサからの電気信号の処理は、上記マイクロミラーアレイレンズの制御と同期および／または同調される請求項２３に記載のズーム装置。
【請求項２５】
上記焦点距離可変レンズは、第１焦点距離可変レンズと第２焦点距離可変レンズとを備え、
所定の倍率で焦点を合わせて像を形成するために、上記第１焦点距離可変レンズの焦点距離と上記第２焦点距離可変レンズの焦点距離とが変化する請求項１に記載のズーム装置。
【請求項２６】
上記第１焦点距離可変レンズは、マイクロミラーアレイレンズからなり、
当該マイクロミラーアレイレンズは、複数のマイクロミラーを備えている請求項２５に記載のズーム装置。
【請求項２７】
上記第２焦点距離可変レンズは、マイクロミラーアレイレンズからなり、
当該マイクロミラーアレイレンズは、複数のマイクロミラーを備えている請求項２５に記載のズーム装置。
【請求項２８】
上記第１焦点距離可変レンズおよび上記第２焦点距離可変レンズは、マイクロミラーアレイレンズからなり、
当該マイクロミラーアレイレンズの各々は、複数のマイクロミラーを備えている請求項２５に記載のズーム装置。
【請求項２９】
上記第１焦点距離可変レンズと上記第２焦点距離可変レンズとの間に位置するビームスプリッターをさらに備える請求項２５に記載のズーム装置。
【請求項３０】
上記第１焦点距離可変レンズと上記第２焦点距離可変レンズとによって反射された光の経路が遮断されないように、上記第１焦点距離可変レンズおよび上記第２焦点距離可変レンズが配置されている請求項２５に記載のズーム装置。
【請求項３１】
焦点レンズ群、エレクターレンズ群およびリレーレンズ群をさらに備え、
上記第１焦点距離可変レンズは、バリエーターレンズ群を形成し、
上記第２焦点距離可変レンズは、補償板レンズ群を形成する請求項２５に記載のズーム装置。
【発明の詳細な説明】
【発明の詳細な説明】
【０００１】
〔本発明の背景〕
本発明は、光学ズーム装置およびその装置の操作方法に関する。
【０００２】
従来のズーム装置は、光学的な倍率を変化させるために、個々の要素間または一群の要素間の軸方向の距離を調節するための一連の機械的な移動を必要とする。
【０００３】
図１は、従来の機械的なズーム装置を示している。非常に基本的な段階において、ズーム装置は拡大するために少なくとも１つの可動レンズを備えている。像の大きさを変えるための一方のレンズは、バリエーター１と呼ばれ、ズーム領域を通して焦点を保持するための他方のレンズは、補償板２と呼ばれる。バリエーター１は、対象物の像の大きさを変化させるために動かされる。しかしながら、結像位置も変化するので、その像はぼけてしまう。したがって、像３を拡大して焦点を合わせた状態を保持するために、バリエーター１は、補償板レンズ２と一致して動かなければならない。通常、レンズバレル上のズームリングによって、これらの移動が機械的に制御される。
【０００４】
この機械的な動きは、ズームの速度を減少させ、ズーム装置のための空間と重量を増大させ、望まれないジッターを誘起するかもしれず、多くの消費電力を必要とする。さらに、機械的なズーム装置は、軸に沿った領域の拡大に制限される。そのため、倍率を変えることのできる小型で速いズーム装置の必要性が存在していた。
【０００５】
〔発明の概要〕
本発明は、従来のズーム装置の不都合を解決するために創作されている。
【０００６】
本発明の目的は、小型で、巨視的で機械的なレンズの移動のないズーム装置を提供することにある。
【０００７】
本発明の他の目的は、最小限の電力を消費するズーム装置を提供することにある。
【０００８】
本発明のさらに他の目的は、種々の光学的な歪みや収差を補正することのできるズーム装置を提供することにある。
【０００９】
上記の目的を達成するために、倍率を変化させ少なくとも１つの焦点距離可変レンズを備え、像を形成するためのズーム装置が提供される。
【００１０】
上記焦点距離可変レンズは、第１焦点距離可変レンズおよび第２焦点距離可変レンズを備える。所定の倍率で焦点を合わせて像を形成するために、上記焦点距離可変レンズの焦点距離は変化する。
【００１１】
上記焦点距離可変レンズは、マイクロミラーアレイレンズからなる。当該マイクロミラーアレイレンズは、複数のマイクロミラーを備える。
【００１２】
上記マイクロミラーアレイレンズの上記マイクロミラーの各々の並進運動及び／または回転運動は、上記ズーム装置の所望の機能を得るために制御される。
【００１３】
上記マイクロミラーアレイレンズの上記マイクロミラーは、少なくとも１つの同軸の円を形成するように配置される。
【００１４】
上記マイクロミラーアレイレンズの上記マイクロミラーの各々は、扇形であってもよい。
【００１５】
上記マイクロミラーアレイレンズの上記マイクロミラーの各々の反射面は、実質的に平面である。または、上記マイクロミラーアレイレンズの上記マイクロミラーの各々の反射面は、曲率を有している。上記マイクロミラーの曲率は、制御されてもよい。
【００１６】
上記マイクロミラーアレイレンズの上記マイクロミラーの各々は、静電気力および／または電磁気力によって作動する。
【００１７】
上記マイクロミラーアレイレンズは、上記マイクロミラーと当該マイクロミラーを作動させる作動素子とを支持する複数の機械的構造をさらに備える。上記機械的構造および上記作動素子は、上記マイクロミラーの下方に位置する。
【００１８】
上記マイクロミラーアレイレンズは、反射型のフレネルレンズであり、上記マイクロミラーは、平面上に配置される。
【００１９】
上記ズーム装置は、上記第１焦点距離可変レンズと上記第２焦点距離可変レンズとの間に位置するビームスプリッターを備える。または、上記第１焦点距離可変レンズと上記第２焦点距離可変レンズとによって反射された光の経路が遮断されないように、上記第１焦点距離可変レンズおよび上記第２焦点距離可変レンズが配置されている。
【００２０】
上記マイクロミラーの各々は、上記マイクロミラーアレイレンズの焦点距離を変えるように制御される。
【００２１】
上記マイクロミラーアレイレンズは、適応性のある光学的素子である。上記マイクロミラーアレイレンズは、対象物と当該対象物の像との間にある媒体によって導かれる光の位相誤差を補正し、および／または、上記像が近軸像の法則から逸脱させる上記ズーム装置の誤差を補正する。また、光軸上に存在しない対象物が、ズーム装置の巨視的で機械的な移動なしに、上記マイクロミラーアレイレンズによって映し出される。
【００２２】
上記ズーム装置は、焦点レンズ群、エレクターレンズ群およびリレーレンズ群をさらに備えてもよい。上記第１焦点距離可変レンズは、バリエーターレンズ群を形成し、上記第２焦点距離可変レンズは、補償板レンズ群を形成する。
【００２３】
上記マイクロミラーアレイレンズは、色彩のある像を得るために、赤、緑および青（ＲＧＢ）の各波長の同一位相条件をそれぞれ満足するように制御される。上記ズーム装置は、色彩のある像を得るために複数の帯域フィルタをさらに備えてもよい。また、上記ズーム装置は、光電子センサをさらに備えてもよい。当該光電子センサは、赤、緑および青（ＲＧＢ）のセンサを備える。当該赤、緑および青（ＲＧＢ）のセンサからの電気信号の処理によって、色彩のある像が得られる。赤、緑および青（ＲＧＢ）の各波長の同一位相条件をそれぞれ満足するために、上記赤、緑および青（ＲＧＢ）のセンサからの電気信号の処理は、上記マイクロミラーアレイレンズの制御と同期および／または同調される。
【００２４】
本発明に係るズーム装置は、少なくとも１つの焦点距離可変マイクロミラーアレイレンズを備える。上記ズーム装置は、巨視的で機械的なレンズの移動なしに、結像装置の倍率を変えることができる。上記マイクロミラーアレイレンズは、マイクロミラーおよび作動素子を備え、焦点距離を制御するために、非常に簡単な構造を用いている。上記マイクロミラーアレイレンズの焦点距離は、上記マイクロミラーの各々の並進運動および／または回転運動によって変えられる。
【００２５】
マイクロミラーは、微小な質量を有している。したがって、マイクロミラーを備えるレンズは、数百マイクロ秒以下の非常に速い反応時間を有している。上記レンズは、広範囲の焦点距離および高い光学的な焦点合わせの効果をも有している。さらに、上記レンズは、大きなサイズのレンズを可能にして、焦点合わせの装置を非常に簡単にして、低消費電力である。上記レンズは、大量生産性の利点があるので低い生産コストである。また、上記レンズは、上記対象物と当該対象物の像との間の媒体によって導かれる光学的な影響を補正することもでき、および／または、上記像が近軸像の法則から逸脱させるレンズ装置の誤差を補正することもできる。
【００２６】
本発明は、ズーム装置として機能し、少なくとも１つのマイクロミラーアレイレンズを備える。
【００２７】
本発明は、光学的な設計において少なくとも１つのマイクロミラーアレイレンズを用いることにより、結像装置の倍率を変える。
【００２８】
マイクロミラーアレイレンズは、焦点距離可変レンズとして機能し、光を反射する多数の小さなマイクロミラーと、当該マイクロミラーの位置を制御する作動素子とを備える。
【００２９】
各マイクロミラーは鏡として同一の機能を有している。対象物の一点からの全ての散乱光を、同一の周期の位相にして画面の一点に収束させることにより、マイクロミラーの配列は、反射収束レンズとして機能する。このことを達成するため、マイクロミラーは、作動素子によって静電気的におよび／または電磁気的に所望の位置になるように制御される。レンズの焦点距離は、レンズの並進運動を制御すること、レンズの回転運動を制御すること、または並進運動と回転運動との両方を制御することにより変えられる。
【００３０】
マイクロミラーアレイレンズは、マイクロミラーの極性配列を備えていてもよい。当該極性配列によって、各マイクロミラーは、効果的な反射領域を増大させるために扇形を有しており、その結果、光学的効果が増大している。マイクロミラーアレイレンズの収差は、曲率のあるマイクロミラーによって減少してもよい。マイクロミラーアレイレンズの光学的効果も、マイクロミラーおよび作動素子を支持するマイクロミラーの下方の機械的な構造によって増大することができ、効果的な反射領域を拡大させ、マイクロミラーの曲率を制御している。
【００３１】
本発明に用いられるマイクロミラーアレイレンズは、以下の利点を有している。すなわち、（１）各マイクロミラーは微小な質量を有しているので、マイクロミラーアレイレンズは、非常に速い反応時間を有する。（２）マイクロミラーの最大の回転角度を増大させることによって、大きい口径の変化が得られるので、上記レンズは広範囲の焦点距離を有する。（３）上記レンズは、高い光学的な焦点合わせの効率を有する。（４）上記レンズは、光学的な性能を失うことなく、大きなサイズの口径を有することができる。マイクロミラーアレイレンズは、分離したマイクロミラーを含んでいるので、レンズのサイズの増大は、レンズの形状の誤差によって引き起こされる収差を拡大させない。（５）超小型電子工学の生産技術の大量生産性の利点によって、コストが安い。（６）上記レンズは、対象物とその像との間の媒体によって導かれた位相の誤差を補正することができ、および／または、その像が近軸像の法則から外れる原因となるレンズ装置の欠点を補正することができる。（７）上記レンズは、焦点合わせの装置を非常に簡単にする。（８）上記レンズは、レンズを制御するために静電駆動が用いられる場合に、低消費電力である。
【００３２】
本発明に係るズーム装置は、以下の利点を有している。すなわち、（１）小型のズーム装置または装置が提供される。（２）当該装置は非常に速いズームの速度を有している。（３）上記装置は、広範囲の倍率を有している。（４）上記装置は、高い光学的効果を有している。（５）上記装置は、大きな口径を有することができる。（６）マイクロミラーアレイレンズが安価で、レンズの巨視的で機械的な移動が必要ないため、コストが安い。（７）上記レンズは、対象物とその像との間の媒体によって導かれた位相の誤差を補正することができ、および／または、その像が近軸像の法則から外れる原因となるレンズ装置の欠点を補正することができる。（８）レンズの巨視的で機械的な移動がないため、上記装置は非常に簡単である。（９）マイクロミラーアレイレンズが静電気力によって作動する場合に、上記装置は低消費電力である。
【００３３】
本発明は簡単に要約されたけれども、本発明の完全な理解は、以下の図面、詳細な説明および添付された請求項によって達成されるであろう。
【００３４】
〔本発明の詳細な説明〕
図２は、少なくとも１つの焦点距離可変レンズを用いたズーム装置５０を示している。本実施形態では、図２に示すように、ズーム装置は、第１焦点距離可変レンズ４および第２焦点距離可変レンズ５を備えている。結像装置の倍率を変えることは、焦点距離可変レンズ４，５を利用することによって達成される。第１焦点距離可変レンズ４は、像の大きさを変化させる。しかし、結像位置も変化するため、その像はぼけてしまう。したがって、像６を拡大して焦点を合わせた状態を保持するために、２つの焦点距離可変レンズ４，５の焦点距離は、一致して変化しなければならない。
【００３５】
図３ａは、ズーム装置５２を示しており、ズーム装置５２では、少なくとも１つのマイクロミラーアレイレンズ７，８が、焦点距離可変レンズ４，５として使用されている。
【００３６】
マイクロミラーアレイレンズの実例は、２００３年３月２日に出版され、ジェームズ・Ｇ・ボイド４世およびチョ・キョンイルによって「速く反応する焦点可変マイクロミラーアレイレンズ」と題された論文に記述されている。ここで十分に述べるように、ここでの開示の参照によってその論文は組み込まれている。
【００３７】
マイクロミラーアレイレンズ７，８は、反射型であるので、マイクロミラーアレイレンズ７，８を光学的に直列に配置することは不可能である。したがって、ズーム装置５２は、光１０の経路に配置されるビームスプリッター９を備えている。ビームスプリッター９は、光１０の方向を９０°変化させ、このように直列の光学的な配置を擬似的に実現している。図３ａに示すように、ズーム装置５２の全体のサイズは、従来の機械的なズーム装置よりも小さい。なぜならば、バリエーターと補償板との間の分離および補償板と結画像センサとの間の分離が、ビームスプリッター９およびマイクロミラーアレイレンズ７，８によって小さな空間で実現することができるからである。
【００３８】
図３ｂは、ズーム装置５４を示しており、ズーム装置５４では、少なくとも１つのマイクロミラーアレイレンズ１１，１２が、焦点距離可変レンズ４，５として使用されている。
【００３９】
マイクロミラーアレイレンズ１１，１２を光学的に直列に配置することは不可能であるので、マイクロミラーアレイレンズ１１、１２によって反射された光１３の経路が他の構成要素によってさえぎられないように、マイクロミラーアレイレンズ１１、１２が配置される。この配列もまた、ズーム装置５４の全体のサイズを縮小させることができる。
【００４０】
マイクロミラーアレイレンズ７，８，１１，１２の位置は変える必要がないので、ズーム装置５２，５４は、レンズの移動のための空間を必要としない。したがって、ズーム装置５２、５４は、小型のサイズで製造することができる。また、マイクロミラーアレイレンズ７，８，１１，１２を動かす必要がないので、ズーム装置５２、５４の消費電力も最小限ですむ。
【００４１】
ズーム装置５２、５４は、ズーム装置の必要な性能を得るために、２つの焦点距離可変レンズの代わりに、５つのレンズ群を備えてもよい。５つのレンズ群は、焦点レンズ群、バリエーターレンズ群、補償板レンズ群、エレクターレンズ群およびリレーレンズ群である。たとえマイクロミラーアレイレンズを用いたズーム装置が、２つのレンズによって説明できるとしても、マイクロミラーアレイレンズを用いた実際のズーム装置も、いくつかのレンズ群を有している。
【００４２】
図４は、マイクロミラーアレイレンズ１４の原理を示している。完全なレンズの条件は２つある。一つは、対象物の一点によって全ての散乱光が、画面の一点に収束しなければならない収束条件である。もう一つは、全ての散乱光が、その画面において同一の位相を有していなければならない同一位相条件である。完全なレンズの条件を満足するために、従来の反射レンズ１５の表面形状は、対象物の一点から全ての散乱光が画面の一点に収束し、全ての収束光の光学的経路の長さが同一であるように形成される。たとえ収束光の光学的経路が異なっていても、光の位相は周期的であるので、同一位相条件は満たされる。したがって、完全なレンズの条件を満足する従来の反射レンズ１５の表面形状は、マイクロミラーの回転運動および並進運動に置き換えることができる。各マイクロミラー１６は、散乱光を収束させるために回転運動し、位相を調節するために並進運動する。
【００４３】
図５は、マイクロミラーアレイレンズ１７の平面図である。各マイクロミラー１８は、作動素子１９によって静電気的に、および／または電磁気的に制御される。レンズは線対称であるので、マイクロミラーアレイレンズ１７は、マイクロミラー１８の極性配列を備えていてもよい。各マイクロミラー１８は、効果的な反射領域を拡大させるために扇形を有しており、光学的効果を増大させている。
【００４４】
各マイクロミラーとマイクロミラー１８を回転運動させ並進運動させるための作動素子とを支持する機械的な構造は、マイクロミラー１８の下方に設けられている。その結果、マイクロミラー１８は、そこに互いにさらに密接して、効果的な反射領域を拡大している。
【００４５】
図６は、マイクロミラーアレイレンズ２０がどのように像を捉えているかを示している。不規則な散乱光２１，２２は、各マイクロミラー２３の位置を制御することにより、画面上の一点Ｐに収束される。不規則な光２１，２２の位相は、各マイクロミラー２３を並進運動させることにより同一となるように調節可能である。必要とされる並進運動の移動量は、光の波長の少なくとも半分である。
【００４６】
マイクロミラーアレイレンズ２０の焦点距離ｆは、マイクロミラー２３の回転運動および／または並進運動を制御することにより変化する。マイクロミラーアレイレンズ２０は、たとえ位相条件を満足することができなくても、並進運動を制御することなく、回転運動のみを制御することにより可能である。この場合、回転運動のみを制御することで得られるレンズ２０の像の質は、収差によって低下する。回転運動のない単なる並進運動は、フレネルの回折理論による２つの像条件を満足することができる。並進運動のみの制御によって形成されるレンズも、収差を有している。マイクロミラー２３のサイズが小さいほど、収差は少なくなる。たとえ一方の運動によるレンズの質が、回転運動および並進運動によるレンズの質よりも低いとしても、一方の運動によるレンズのほうが、回転運動および並進運動によるレンズよりも制御および製造が容易であるという利点を有する。
【００４７】
従来の反射レンズ１５の理想的な形状は曲率を有しているので、各マイクロミラー２３は曲率を有していることが要求される。しかし、平坦なマイクロミラー２３を有するレンズの収差は、素子のサイズが十分小さければ、曲率を有するレンズの収差とあまり異ならないので、曲率を制御することはあまり必要とされない。
【００４８】
マイクロミラーアレイレンズは、光の位相がマイクロミラーの並進運動および／または回転運動によって変えることができるので、適応性のある光学的素子である。適応性のある光学的素子が、対象物とその像との間の媒体によって導かれた光の位相の誤差を補正することができるように、および／または、その像が近軸像の法則から外れる原因となるレンズ装置の欠点を補正するように、マイクロミラーアレイレンズは位相の誤差を補正することができる。例えば、マイクロミラーアレイレンズは、マイクロミラーの並進運動および／または回転運動を調節することによって、光学的な傾きによって引き起こされる位相の誤差を補正することができる。これにより、光学的装置の一部分の巨視的で機械的な移動なしに、視野の中のあらゆる対象物の拡大が可能となる。このように、拡大される対象物は、従来の装置のように光軸上に存在しなくてもよい。
【００４９】
マイクロミラーアレイレンズによって満足される同一位相条件は、単色光を前提に使用される。したがって、色彩のある像を得るために、ズーム装置のマイクロミラーアレイレンズは、赤、緑および青（ＲＧＢ）の各波長について、それぞれ同一位相条件を満足するように制御され、ズーム装置は、赤、緑および青（ＲＧＢ）の波長の単色光を生成するために、帯域フィルタを使用してもよい。
【００５０】
マイクロミラーアレイレンズを使用するズーム装置において、カラー光電子センサが画像センサとして使用されるならば、マイクロミラーアレイレンズに同期および／または同調する帯域フィルタの有無にかかわらず、赤、緑および青（ＲＧＢ）のセンサからの電気信号の処理によって、色彩のある像が得られる。
【００５１】
対象物から散乱した赤色光を映し出すために、マイクロミラーアレイレンズは、赤色光の位相条件を満足するように制御され、赤、緑および青の画像センサは、対象物から散乱した赤、緑および青のそれぞれの光の強度を計測する。それらの中から、赤色光の強度のみが像のデータとして記憶される。なぜならば、赤色光のみが正確に映し出されるからである。緑色光および青色光のそれぞれを映し出すために、マイクロミラーアレイレンズおよび各画像センサは、赤色光の処理と同様に作動する。したがって、マイクロミラーアレイレンズは、赤、緑および青の画像センサと同期および／または同調する。
【００５２】
本発明は、種々の実施形態を参照して示され説明されたけれども、添付する請求項によって定義されるように、発明の精神および範囲から逸脱することなく、詳細、構成および作用における変更がなされてもよいと、その技術における当業者によって理解されるであろう。
【００５３】
本発明のこれらの、および他の特徴、側面および利点は、添付した図面を参照することによってよりよく理解されるであろう。
【図面の簡単な説明】
【００５４】
【図１】従来の機械的なズーム装置を示す概略図である。
【図２】少なくとも１つの焦点距離可変レンズを使用するズーム装置である。
【図３ａ】少なくとも１つのマイクロミラーアレイレンズを使用する、本発明のズーム装置である。
【図３ｂ】少なくとも１つのマイクロミラーアレイレンズを使用する、本発明のズーム装置である。
【図４】マイクロミラーアレイレンズの原理である。
【図５】多数のマイクロミラーおよび作動素子からなるレンズの構成を示す概略平面図である。
【図６】マイクロミラーアレイレンズがどのようにレンズとして機能するかを示す概略図である。
【図２】
2007531013.tif 000003
【図３ａ】
2007531013.tif 000004
【図３ｂ】
2007531013.tif 000005
【図４】
2007531013.tif 000006
【図５】
2007531013.tif 000007
【図６】
2007531013.tif 000008
【図１】
2007531013.tif 000009
【国際調査報告】
2007531013.tif 000010